(57)【要約】      （修正有）【課題】他の家具との組み合わせの機会の多いテーブル側を改良工夫することで、他の家具と併用した際の家具同士の干渉や損傷等の不都合を未然に防止する。【解決手段】下端を接地部であるキャスタ２１を介して移動可能とされた前後左右４本の脚柱２２Ｆ，２２Ｒを有する脚２２と、脚柱２２Ｆ，２２Ｒで支持される天板２４とを具備し、脚柱２２Ｆ、２２Ｒに前後方向をガイド方向とするガイド部２５を左右方向に張り出して設け、ガイド部２５の張り出し量δが脚柱２２Ｆ、２２Ｒのキャスタ２１の左右方向の専有範囲ＡＥよりも大きくなるように構成した。【選択図】図１
2012228484.tif 000002
【特許請求の範囲】
【請求項１】
下端を接地部を介して移動可能とされた前後左右４本の脚柱を有する脚と、前記脚柱で支持される天板とを具備するテーブルであって、
前記脚柱に対し、前後方向をガイド方向とするガイド部を左右方向に偏位させて設け、
前記ガイド部の前記脚柱に対する偏位量が前記脚柱の接地部の左右専有範囲よりも大きいことを特徴とする移動テーブル。
【請求項２】
前記ガイド部の前後部が各々前脚および後脚に接続され、これらの前後部の間が一体的につながって、左右で一対のガイド部を形成している請求項１記載の移動テーブル。
【請求項３】
前記ガイド部の前後両端が、前後脚柱に向かって屈曲または湾曲し、前脚および後脚に接続されている請求項１又は２記載の移動テーブル。
【請求項４】
脚柱の上端部に天板中央に向かって延びる斜片を設け、この斜片にガイド部の屈曲または湾曲した前後部を取り付けている請求項３記載の移動テーブル。
【請求項５】
各々の脚柱に斜片を介してガイド部の屈曲または湾曲した前後部が剛接され、これら斜片および前後部を含むガイド部を覆う位置に樹脂カバーを設けている請求項４記載の移動テーブル。
【請求項６】
接地部の少なくとも奥行き方向一端側が首振り自在のキャスタによって移動自在に構成されており、キャスタ間の最小距離よりもガイド部間の対向距離を小さくしている請求項１〜５何れかに記載の移動テーブル。
【請求項７】
請求項１〜６記載の移動テーブルと、この移動テーブルの天板下に配置可能な高さの収納家具とを組み合わせてなるものであって、前記収納家具を前記移動テーブルの左右の脚柱が跨いだ状態で、当該移動テーブルのガイド部が収納家具の収納方向に平行な左右の縁部にガイドされてほぼ真っ直ぐに出入り可能とされることを特徴とする移動テーブルシステム。
【請求項８】
収納家具が収納空間を開閉する開閉部材を有し、この開閉部材が前記移動テーブルの左右の脚柱間を通過して開閉可能とされている請求項７記載の移動テーブルシステム。
【請求項９】
移動テーブルの天板下面と収納家具の頂板上面との間を、指が入る程度の隙間を介して対向させ、前記天板の奥行き方向前端となる縁辺側の下面に、指を引っ掛けて天板を手前に引くことのできる手掛け部を設けている請求項７又は８記載の移動テーブルシステム。
【請求項１０】
収納家具も下端部を移動可能な接地部に支持されている請求項９記載の移動テーブルシステム。
【発明の詳細な説明】
【技術分野】
【０００１】
本発明は、他の家具と組み合わせて使用する際の使い勝手を向上させた移動テーブルに関するものである。
【背景技術】
【０００２】
オフィスを始めとして広く一般に利用されるテーブルは、前後左右４本の脚柱を有する脚と、前記脚柱で支持される天板とを具備しているものが最も代表的な形態の一つであり、下端を接地部を介して移動可能とされたものも少なくない（例えば特許文献１参照）。
【０００３】
このようなテーブルは、椅子や収納棚、ワゴン等と組み合わせて使用することが多く、これらの家具をテーブルの下肢空間に対して出し入れしたり、逆にこれらの家具を動かさずにテーブルの方を移動させるなど、目的、用途に応じて多種多様な使い方がなされている。
【先行技術文献】
【特許文献】
【０００４】
【特許文献１】特開２０１１−０７２４２５号公報
【発明の概要】
【発明が解決しようとする課題】
【０００５】
ところが、このような他の家具と併用されることの多いテーブルの場合、下肢空間に対して椅子や収納棚、ワゴン等を出し入れしようとする際に椅子の脚羽根や収納棚、ワゴンの筐体がテーブルの脚に引っ掛かったり、逆にテーブルを移動させようとする際にテーブルの脚が椅子のキャスタや収納棚、ワゴン等の筐体に衝突したりして、出し入れ時の円滑性が損なわれ易いものであり、さらに衝突時にテーブルや椅子の脚やキャスター、収納棚やワゴン等の筐体が傷つき易いという問題がある。
【０００６】
本発明は、このような課題に着目してなされたものであって、他の家具との組み合わせの機会の多いテーブル側を改良工夫することで、他の家具と併用した際の不都合を極力回避できるようにした移動テーブル及び移動テーブルシステムを提供することを目的としている。
【課題を解決するための手段】
【０００７】
本発明は、かかる目的を達成するために、次のような手段を講じたものである。
【０００８】
すなわち、本発明の移動テーブルは、下端を接地部を介して移動可能とされた前後左右４本の脚柱を有する脚と、前記脚柱で支持される天板とを具備するものであって、前記脚柱に対し、前後方向をガイド方向とするガイド部を左右方向に偏位させて設け、前記ガイド部の前記脚柱に対する偏位量が前記脚柱の接地部の左右専有範囲よりも大きいことを特徴とする。
【０００９】
このような構成により、ガイド部が偏した側にワゴンや椅子等の他の家具を位置づけて配置する場合を考えると、先ず家具の方を動かした際、テーブルの脚に近づき過ぎてこれらの家具の一部がガイド部に接触したときには、当該家具の下端部が大きく張り出していない限り脚柱の接地部の左右専有範囲への進入や激しい衝突が規制される。逆にテーブル側を移動させた場合でも、接地部が椅子の脚羽根、収納棚やワゴンの筐体に近づき過ぎ、ガイド部がこれらの家具の一部に接触したときには、当該家具の下端部が大きく張り出していない限り脚柱の接地部がこれらの家具に激しく衝突ことが規制される。このように、テーブルの天板よりも低い家具と当該テーブルとを無造作に組み合わせて使用しても、ガイド部を設けておくだけでテーブルと他の家具との衝突による損傷や破損を未然に防止する効果を期待することができる。
【００１０】
ガイド部を適切に支持させて前後方向のガイド機能を構成するためには、前記ガイド部の前後部が各々前脚および後脚に接続され、これらの前後部の間が一体的につながって、左右で一対のガイド部を形成していることが好ましい。
【００１１】
多少位置のずれた方向から移動テーブルと他の家具とが接近しても適切なガイド作用を得るためには、前記ガイド部の前後両端が、前後脚柱に向かって屈曲または湾曲し、前脚および後脚に接続されていることが望ましい。
【００１２】
この場合、テーブルの機能を妨げずにガイド部を適切に取り付けるためには、脚柱の上端部に天板中央に向かって延びる斜片を設け、この斜片にガイド部の屈曲または湾曲した前後部を取り付けることが望ましい。
【００１３】
特に、適切なガイド機能と良好な外観を確保するためには、各々の脚柱に斜片を介してガイド部の屈曲または湾曲した前後部が剛接され、これら斜片および前後部を含むガイド部を覆う位置に樹脂カバーを設けていることが好適である。
【００１４】
接地部の少なくとも奥行き方向一端側が首振り自在のキャスタによって移動自在に構成されている場合には、キャスタ間の最小距離よりもガイド部間の対向距離を小さくすることで上記の効果を適切に充足させることができる。
【００１５】
移動テーブルおよび当該移動テーブルの天板下に配置可能な高さの収納家具を組み合わせる場合には、前記収納家具を前記移動テーブルの左右の脚柱が跨いだ状態で、当該移動テーブルのガイド部が収納家具の収納方向と平行な左右の縁部にガイドされてほぼ真っ直ぐに出入り可能に構成することが望ましい。
【００１６】
収納家具が収納空間を開閉する開閉部材を有する場合に、収納機能を適切に担保するためには、この開閉部材が前記移動テーブルの左右の脚柱間を通過して開閉可能とされていることが好ましい。
【００１７】
移動テーブルの天板下面と収納家具の頂板上面との間が狭い場合には、指が入る程度の隙間を確保し、前記天板の奥行き方向前端となる縁辺側の下面に、指を引っ掛けて天板を手前に引くことのできる手掛け部を設けていることが望ましい。
【００１８】
このテーブルシステムを一層充実させるためには、収納家具も下端部を移動可能な接地部に支持されていることが好ましい。
【発明の効果】
【００１９】
本発明は、以上説明した構成であるから、この移動テーブルを他の家具と無造作に組み合わせて使用しても、移動テーブルと他の家具とが干渉して出し入れに不都合を来たし、ひいては一部に損傷、破損を来たす事態を未然に回避できるようにした、新規有用な移動テーブル及び移動テーブルシステムを提供することができる。
【図面の簡単な説明】
【００２０】
【図１】本発明の一実施形態に係る移動テーブルを用いたテーブルシステムを示す正面図。
【図２】図１の主テーブル全体および補助テーブルの天板を想像線にして示す平面図。
【図３】図１に対応した右側面図
【図４】同移動テーブルを示す斜視図。
【図５】図４の要部分解図。
【図６】同移動テーブルの底面図。
【図７】同テーブルシステムの利用形態の一つを示す模式的な説明図。
【図８】同テーブルシステムの利用形態の一つを示す模式的な説明図
【図９】同テーブルシステムの利用形態の一つを示す模式的な説明図
【図１０】同テーブルシステムの利用形態の一つを示す模式的な説明図
【図１１】本発明の変形例を示す模式図。
【図１２】本発明の他の変形例を示す斜視図。
【図１３】本発明のさらに他の変形例を示す図。
【発明を実施するための形態】
【００２１】
以下、本発明の一実施形態を、図面を参照して説明する。
【００２２】
図１〜図３は、本実施形態に係るテーブルシステムを示している。
【００２３】
このテーブルシステムは、主テーブル１と、この主テーブル１よりも高さの低い移動テーブルとして用いられる補助テーブル２と、この補助テーブル２よりも更に高さの低い収納家具であるワゴン３とを組み合わせて構成される。
【００２４】
主テーブル１は、複数人が着座して使用可能な大型のもので、天板１１の幅方向に沿った一方の端部がエンド脚１２に支持され、天板１１の幅方向（図１における矢印Ｘ方向）に沿った中間部が中間脚１３に支持され、天板１１の幅方向に沿った他方の端部（図示省略）も前記一方の端部と同様、エンド脚に支持されている。この実施形態では、エンド脚１２に側板タイプのものが用いられ、中間脚１３に図１に示すようにステー１３ａと脚支柱１３ｂとを逆Ｌ型につないで下肢空間Ｓを確保したものが用いられている。中間脚１３のステー１３ａには左右に隣接する天板１１、１１が同時に載置され、必要な枚数だけ天板１１を幅方向に継ぎ足していくことができるものである。このため、天板下の下肢空間Ｓに挿入されるワゴン３や図７に示す椅子４等は中間脚１３と干渉することなく天板幅方向のどの位置にも挿入することが可能である。主テーブル１の接地部にはアジャスタ１４が採用されている。また、図１及び図３等に示されるように、天板１１の背面側において下肢空間Ｓを目隠しする位置には背板１５が取り付けられ、背板１５の前面には底板１６ａと立板１６ｂからなるＬ字状の配線ダクト１６が取り付けられている。
【００２５】
一方、補助テーブル２は、図１、図２、図４〜図６に示すように、下端部を移動可能な接地部であるキャスタ２１に支持されて脚を構成する前脚２２Ｆおよび後脚２２Ｒと、これらの脚２２Ｆ、２２Ｒの上端部にブラケット２３を介して固定した天板２４と、左右の前脚２１Ｆと後脚２２Ｒの間にそれぞれ奥行き方向（図２における符号Ｙ方向）に沿って延設された内向きのガイド部２５とを具備している。図４においてブラケット２３は省略してあり、天板４の４辺には軟質樹脂等によるエッジ部材４ａが周回して設けてある。
【００２６】
脚２２は、上記のように２本の前脚２２Ｆおよび２本の後脚２２Ｒの計４本の脚柱から構成され、各脚柱２２Ｆ，２２Ｆ，２２Ｒ，２２Ｒの下端に支軸回りに首振り旋回可能なキャスタ２１が取り付けられている。
【００２７】
ガイド部２５は、脚柱２２Ｆ、２２Ｒから左右方向内側に張り出すように偏位して設けられ、前脚２２Ｆと後脚２２Ｒの間に延びている。具体的に説明すると、左右のガイド部２５は、前脚２２Ｆと後脚２２Ｒの間に位置し内側に向かって張り出す中央部２５ａが内向きに対向しているとともに、中央部２５ａの前後端側に前脚２２Ｆおよび後脚２２Ｒに向かって対向隙間が広がる方向に屈曲して延びる前後部２５ｆ、２５ｒが中央部２５ａに一体に連続している。これに対し、各脚柱２２Ｆ、２２Ｒの上端部には図５等に示されるようにブラケット２３が溶接等により剛接され、天板中央に向かって延びる斜片２３ａが２辺を脚柱２２Ｆとブラケット２３の入隅部（或いは脚柱２２Ｒとブラケット２３の入隅部）に配置されて溶接等により剛接してある。この斜片２３ａの角度は、前後端２５ｆ、２５ｒの屈曲した傾斜角度に対応している。そして、この斜片２３ａにガイド部２５の屈曲した前後部２５ｆ、２５ｒをボルトＶにより取り付けることで、ガイド部２５を左右それぞれ前脚２２Ｆと後脚２２Ｒの間に架設している。ガイド部２５の中央部２５ａの上縁には取付片２５ｂが折り曲げて形成してあり、この取付片２５ｂもブラケット２３の下面にねじ止めされる。
【００２８】
そして、前記ガイド部２５を覆う位置に図５に示す樹脂カバー２６を取り付けるようにしている。この樹脂カバー２６は、上端および前後端が開口した断面コ字形のもので、その内空は前記ガイド部２５と前記斜片２３ａを緊密に収容可能な形状を有し、これらガイド部２５と斜片２３ａに下方から被せるように装着して、前記ボルトＶによってガイド部２５とともに斜片２３ａに共締めされるようにしている。勿論、カバー２６の立面の適宜箇所に突起を設け、対応するガイド部２５の張り出し方向とは反対側の面に凹部を設けて、カバー２６を弾性変形させつつ突部をガイド部２５の凹部に嵌め合わせるように構成することもできる。
【００２９】
このような取付状態において、図１に示すように、ガイド部２５の脚柱２２Ｆ，２２Ｒからの偏位量すなわち張り出し量δが前記脚柱２２Ｆ，２２Ｒの接地部であるキャスタ２１の左右方向の専有範囲ＡＥよりも大きくなるように、換言すれば、左右のガイド部２５、２５の対向隙間ｄが前記左右のキャスタ２１、２１間の最小距離Ｗよりも小さくなるように設定されている。首振り式のキャスタ２１にあっては、左右専有範囲ＡＥとは首振り範囲のことをいう。また、本明細書に言う「ガイド部２５の脚柱２２Ｆ，２２Ｒからの張り出し量δ」、「ガイド部２５、２５間の対向隙間ｄ」は、樹脂カバー２６を取り付けた状態では当該樹脂カバー２６の肉厚を含んだ寸法を指す。
【００３０】
一方、図１〜図３に示す本実施形態のワゴン３は、前方に収納空間を開放する開口を有した筐体３１と、この筐体３１の開口に装着されて前後方向に出し入れ自在な引き出し３２ａ、３２ｂ、３２ｃとを具備するもので、下端が移動自在な接地部、例えば扁平キャスタ３３によって支持されている。そして、筐体３１の頂板３１ａは、補助テーブル２の天板２４の下面２４ａよりも低く、かつ補助テーブル２の天板２４から垂下した状態にある前記ガイド部２５と一部において上下方向に重なる高さ（ラップ量ｒｐ）関係に設定され、補助テーブル２の左右のガイド部２５、２５の中央部２５ａ、２５ａ間の対向隙間ｄは、ワゴン３の筐体３１を挿入できる範囲で当該筐体３１の左右の縁部３１ｐ、３１ｐ間の外法寸法Ｌに極力近い寸法関係に設定されている。すなわち、左右の脚柱２２Ｆ、２２Ｆ（２２Ｒ、２２Ｒ）間にワゴン３が、所定の奥行き方向位置に存した状態で、ガイド部２５とワゴン３の筐体３１の左右の縁部とが前後方向に所定領域ｐ（図２参照）に亘って当接ないし極近接した状態にあるように構成されている。
【００３１】
以上のように構成される本実施形態のテーブルシステムは、図１に示すように補助テーブル２の天板２４を前記主テーブル１の天板１１と前記ワゴン３の頂板３１ａとの高さ方向の隙間Δに収めることができる関係にあり、かつ、補助テーブル２の左右の脚２２がワゴン３の筐体３１の左右の縁部３１ｐ、３１ｐを跨げる程度の内法寸法Ｔに設定されていて、補助テーブル２は主テーブル１ともワゴン３とも独立して移動可能なものである。このため、図１及び図２に示すように前記主テーブル１の天板１１下に前記補助テーブル２および前記ワゴン３を順次重畳させて収納することができるほか、この状態から図７、図８（ａ）に示すように前記ワゴン３を静止させたまま当該ワゴン３の左右の縁部３１ｐ、３１ｐに前記補助テーブル２のガイド部２５をガイドさせつつ当該補助テーブル３を奥行き方向に沿って前記主テーブル１の天板１１下からほぼ真っ直ぐに引き出すことも可能である。逆に、図８（ｂ）に示すように、主テーブル１と補助テーブル２とワゴン３が重合した状態からワゴン３の引出３２ａ〜３２ｃのみを補助テーブル２の左右の脚柱２２Ｆ、２２Ｆ間を通過して前後方向に開閉することも支障なく行なうことができる。
【００３２】
さらに、補助テーブル２は、主テーブル１の天板１１とワゴン３の間から引き出して独立に回転および移動可能であるため、図９に示すように隣人同士が９０°向きを変えて引き出した補助テーブル２越しにミーティングを行なったり、図１０に示すように背合わせに主テーブル１に着座している者が主テーブル１、１間に補助テーブル２を単一または複数個移動させ、振り向いて補助テーブル２越しにミーティングを行なう態様も可能となっている。補助テーブル２，２同士を複数突き合せて天板面を拡張する際の便のために、補助テーブル２．２同士が接近した際に天板２４，２４同士を突き合せた状態に導く連結機構を、補助テーブル２の一部の縁辺２ｐおよび当該縁辺２ｐに対向する他の縁辺２ｑに設けておいてもよい。この連結機構の一態様としては、図１に示すように、天板２４の一部の縁辺２ｐと他の縁辺２ｑに、天板２４を他の天板２４と隙間なく面一に突き合せた際に互いに磁力によって吸着し合う磁気的係合部２０ｐ、２０１ｑを設けるようにしたものが挙げられる。
【００３３】
なお、図１に示すように、主テーブル１の天板１１と補助テーブル２の天板２４との間、および、補助テーブル２の天板２４とワゴン３の頂板３１ａとの間は、指が入る程度のギャップｇ１２、ｇ２３を介して上下に対向している。このため、ワゴン３の頂板３１ａの上面に手を掛けてワゴン３を引くことのできる手掛け部３ｓ（図２参照）を頂板３１ａの上面に凹設するとともに、補助テーブル２の天板２４の奥行き方向前端となる縁辺２ｒ側の下面（図４参照）に、指を引っ掛けて天板を手前に引くことのできる手掛け部２ｓが凹設してある。
【００３４】
以上のように、本実施形態の移動テーブルたる補助テーブル２は、下端を接地部であるキャスタ２１を介して移動可能とされた前後左右４本の脚柱２２Ｆ，２２Ｒを有する脚２２と、前記脚柱２２Ｆ，２２Ｒで支持される天板２４とを具備し、前記脚柱２２Ｆ、２２Ｒに対し、前後方向をガイド方向とするガイド部２５を左右方向に偏位させて設け、前記ガイド部２５の前記脚柱２２Ｆ，２２Ｒに対する偏位量すなわち張り出し量δが前記脚柱２２Ｆ、２２Ｒのキャスタ２１の左右方向の専有範囲ＡＥよりも大きくなるように構成したものである。
【００３５】
このような構成により、張り出した側にワゴン３が位置する状態から、先ず補助テーブル２側を移動させた場合を考えると、キャスタ２１がワゴン３の筐体３１に近づき過ぎ、ガイド部２５がワゴン３の筐体３１の左右縁部３１ｐ、３１ｐに先に接触することによって、脚柱２２Ｆ，２２Ｒのキャスタ２１がワゴン３の筐体３１に激しく衝突することが回避される。逆に、ワゴン３の方を動かした場合にも、ワゴン３の筐体３１がテーブル２の脚２２に近づき過ぎて筐体３１の左右縁部３１ｐ、３１ｐがガイド部２５に先に接触することによって、筐体３１がそれ以上補助テーブル２のキャスタ２１に近づくことが回避され、筐体３１とキャスタ２１の衝突が避けられる。このような作用効果は、ワゴン以外の家具として例えば収納棚も該当し、或いは直方体状の形状をなさない椅子等であっても先に肘掛がガイド部２５に接触すれば椅子の脚（或いは脚羽根）と補助テーブルの脚２２Ｆ，２２Ｒ（或いはキャスタ２１）との衝突が避けられる。このように、テーブル２の天板２４よりも低い家具と当該テーブル２とを無造作に組み合わせて使用しても、ガイド部２５を設けておくだけで、テーブル２と他の家具との衝突による損傷や破損を未然に防止する効果を期待することができる。
【００３６】
また、前記ガイド部２５の前後部２５ｆ、２５ｒが各々前脚２２Ｆおよび後脚２２Ｒに接続され、これらの前後部２５ｆ、２５ｒの間が一体的につながって、左右で一対のガイド部２５を形成しているので、棒状の形態をなす脚柱２２のようなものに対しても、ガイド部２５を適切に支持させて前後方向のガイド機能を構成することができる。
【００３７】
また、前記ガイド部２５の前後両端に位置する前後部２５ｆ、２５ｒが前後脚柱２５Ｆ，２５Ｒに向かって屈曲して、前脚２５Ｆおよび後脚２５Ｒに接続されており、ガイド部２５の張り出した中央部２５ａから前後脚柱２５Ｆ，２５Ｒに向かってガイド部２５が傾斜した状態となるので、この傾斜したガイド部２５に接触したワゴン３や他の家具の一部が補助テーブル２の脚柱２２Ｆ、２２Ｒから離れる方向に相対的に誘導されることになり、多少位置のずれた方向から互いが接近しても適切なガイド作用を得ることができる。
【００３８】
特に本実施形態は、脚柱２２の上端部に天板中央に向かって延びる斜片２３ａを設け、この斜片２３ａにガイド部２５の屈曲した前後部２５ｆ、２５ｒを取り付けている。このように、ガイド部２５の取付位置が脚２２の上端部であれば、補助テーブル２を引き出して通常のテーブルとして使用する際の下肢空間を十分に確保することができる。そして、斜片２３ａが天板２４の中央に向かって延びた状態になるため、着座時に斜片２３ａが邪魔になることも回避できる。移動時にワゴン３等の他の家具とガイド部２５が接触した場合にも、ガイド部２５が脚柱２２の上端部に形成されることで、ガイド部２５とワゴン２２等とが衝突した際の脚柱２２の倒れモーメントが小さくて済み、強度も確保し易いものとなる。
【００３９】
さらに、各々の脚柱２２に斜片２３ａを介してガイド部２５の屈曲した前後部２５ｆ、２５ｒが剛接され、これら斜片２３ａおよびガイド部２５を覆う位置に樹脂カバー２６を設けたものであれば、棒状の脚２２に傾斜した前後部２５ｆ、２５ｒを介してガイド部２５を適切に取り付けることができるとともに、樹脂カバーを採用することによって樹脂カバーを斜片２３ａやガイド部２５に適切にフィットさせることができ、見栄えも向上させることができる。そして、移動時にカバーがワゴン３の縁部３１ｐ等に接触することによって摺動抵抗を小さく抑えることができるので、ワゴン３が傷付くことも有効に防止することができる。
【００４０】
また、補助テーブル２の接地部として少なくとも奥行き方向一端側が首振り自在のキャスタ２１によって移動自在に構成され、キャスタ２１、２１間の最小距離Ｗよりもガイド部２５、２５間の対向距離ｄを小さくしているので、キャスタ２１が本来有する移動自在性を生かして出し入れの便を向上させつつ、移動自在であるがゆえの衝突の危険性を有効に回避することができる。
【００４１】
そして、上記移動テーブルたる補助テーブル２と、この補助テーブル２の天板２４の下に配置可能な高さの収納家具であるワゴン３とを組み合わせて構成される本実施形態の移動テーブルシステムは、前記ワゴン３を前記補助テーブル２の左右の脚柱２２Ｆ，２２Ｆ（２２Ｒ、２２Ｒ）が跨いだ状態で、当該補助テーブル２のガイド部２５が収納家具であるワゴン３の収納方向と平行な筐体３１の左右の縁部３１ｐ、３１ｐにガイドされてほぼ真っ直ぐに出入り可能となるため、最小限の移動で補助テーブル２をワゴン３と干渉せずに出し入れできる配置が実現可能となる。
【００４２】
さらに、収納家具であるワゴン３が収納空間を開閉する開閉部材たる引出３２ａ〜３２ｃを有し、これらの引出３２ａ〜３２ｃが前記補助テーブル２の左右の脚柱２２Ｆ，２２Ｆ間（或いは２２Ｒ，２２Ｒ間）を通過して開閉可能であるため、補助テーブル２でワゴン３を跨いだ状態でも、ワゴン３の収納機能の適切な利用状態を確保することができる。
【００４３】
さらにまた、補助テーブル２の天板２４の下面と収納家具であるワゴン３の頂板３１ａの上面との間を、指が入る程度の隙間を介して対向させ、前記天板２４の奥行き方向前端となる縁辺２ｒ側の下面に、指を引っ掛けて天板２４を手前に引くことのできる手掛け部２ｓを設けた場合には、補助テーブル２とワゴン３の隙間がほぼ詰まっている状態であっても、補助テーブル２を適切に引き出すことが可能となる。
【００４４】
以上において、本実施形態は、収納家具であるワゴン３も下端部を移動可能な接地部である扁平キャスタ３３に支持されているので、ワゴン３も補助テーブル２と同様に同じ位置に出し入れすることができ、テーブルシステムとしての利便性をより一層高めることが可能となる。
【００４５】
なお、各部の具体的な構成は、上述した実施形態のみに限定されるものではない。
【００４６】
例えば、ガイド部の張り出し量が前記脚柱の接地部の左右専有範囲よりも大きく設定する限りにおいては、接地部はキャスタ以外に、ローラ式のものやボール式のものであってもよい。また、移動自在な接地部を採用する場合にも、奥行き方向一端側のみに移動自在な接地部を採用し、他端側は固定キャスタ等を採用しても構わない。勿論、移動性に支障がなければ、全ての接地部を固定キャスタ等を用いて構成することも可能である。
【００４７】
また、ガイド部の前後部は、湾曲していてもよいし、ガイド部の前後部はつながってなくてもよい。例えば、図１１に示すように脚柱２２Ｆ，２２Ｒの上端に大径部２２ｚを設けて一部に前後方向に延びる直線状の中央部１２５ａおよびこの中央部１２５ａに通ずるＲ状の前後部１２５ｆ、１２５ｒを連続して形成しておけば、上記実施形態に準じた作用効果を奏することが可能である。
【００４８】
さらに、図１２に示すように、ガイド部２２５は脚柱２２Ｆ，２２Ｒから左右方向外側に張り出して設けられていてもよい。例えば、ガイド部２２５の上方に補助テーブル２の天板２４がオーバーハングした状態で補助テーブル２の一部を天板２４の下に収納できる構造にした場合にも、ガイド部２２５が補助テーブル２とワゴン３の干渉を有効に防止することとなる。
【００４９】
さらにまた、ガイド部は必ずしも脚の上端部に構成することも必須ではなく、基本的な作用効果を奏する範囲でガイド部は下端部もしくは上下方向の中間部に設ける構成を妨げない。
【００５０】
さらに言えば、ガイド部は必ずしも脚に設けることも必須ではない。例えば、図１３に示すように、移動テーブル２の天板２４の下面に前記ブラケット２３にねじ孔を形成する等してガイド部２５の取付部２０を設け、天板２４の下面にもインサートナットを埋設する等してガイド部２５の取付部２０を設け、これらの取付部２０にガイド部２５を取付片２５ｂ等を介して取り付けるようにすれば、左右の脚柱２２Ｆ，２２Ｆ（２２Ｒ，２２Ｒ）間よりも左右方向内側へ大きく偏位する位置にガイド部２５を配置することができる。ブラケット２３が天板２４の下面から突出している場合には、ブラケット２３に当接する取付片２５ｂと天板２４の下面に当接する取付部２５ｂとで高さ位置を異ならせておけば足りる。そして、このように構成することで、左右の脚柱２２Ｆ，２２Ｆ（２２Ｒ，２２Ｒ）間の距離よりもワゴン等の収納家具の外法寸法が遥かに小さい場合等に、収納家具が移動テーブル２の天板２４の下で左右に大きく遊動することを有効に規制することができ、また、移動テーブル２が収納家具に適切にガイドされる関係を容易に成立させることができる。この場合、幅寸法の異なる複数の収納家具に対してこのような効果を得るために、同図に示すようにガイド部２５の取付部２０を左右方向に複数個所設け、ガイド部２５の位置を必要に応じてずらして取り付けることでガイド部間の対向距離を変更できるようにしておくことが望ましい。
【００５１】
上記のガイド取付構造において、強度的に問題がない場合等には、ガイド部２５はブラケット２３の取付部２０のみを利用して取り付けてもよいし、天板２４の取付部２０のみを利用して取り付けてもよい。これらの場合には、取付部２０は少なくともブラケット２３又は天板２４の何れか一方にのみ設けておいてもよい。
【００５２】
逆に、強度的に補強を要する場合には、前記実施形態と同様に脚柱２２に斜片２３ａを設けておき、ガイド部２５を図示の位置からずらしてブラケット２３や天板２４の取付部２０に取り付けると同時に斜片２３ａにも取り付けるようにすれば、ガイド部２５の強度を有効に向上させることが可能となる。
【００５３】
その他の構成も、本発明の趣旨を逸脱しない範囲で種々変形が可能である。
【符号の説明】
【００５４】
２…移動テーブル
３…収納家具（ワゴン）
２１…接地部（キャスタ）
２２…脚
２２Ｆ…脚柱（前脚）
２２Ｒ…脚柱（後脚）
２３ａ…斜片
２５…ガイド部
２５ｆ、２５ｒ…前後端
２６…樹脂カバー
３２ａ、３２ｂ、３２ｃ…開閉部材（引出）
３３…接地部（扁平キャスタ）
ＡＥ…左右専有範囲
ｄ…ガイド間の対向距離
ｗ…キャスタ間の最小距離
δ…張り出し量
【図１】
2012228484.tif 000003
【図２】
2012228484.tif 000004
【図３】
2012228484.tif 000005
【図４】
2012228484.tif 000006
【図５】
2012228484.tif 000007
【図６】
2012228484.tif 000008
【図７】
2012228484.tif 000009
【図８】
2012228484.tif 000010
【図９】
2012228484.tif 000011
【図１０】
2012228484.tif 000012
【図１１】
2012228484.tif 000013
【図１２】
2012228484.tif 000014
【図１３】
2012228484.tif 000015